(57)【要約】【課題】通信機器同士の通信の安全性を簡単かつ迅速に確保する。【解決手段】デジタルカメラ１０の通信設定情報生成部１３は、第２ＤＳＣ側通信部１２と第２プリンタ側通信部２２との通信の成立に必要な通信設定情報を生成する（Ａ２）。デジタルカメラ１０の第１ＤＳＣ側通信部１１は、生成された通信設定情報を、プリンタ２０に送信する（Ａ３）。プリンタ２０の第１プリンタ側通信部２１は、第１ＤＳＣ側通信部１１の送信した通信設定情報を受信する（Ａ４）。プリンタ２０の通信設定部２３は、第１プリンタ側通信部２１の受信した通信設定情報に基づき、第２ＤＳＣ側通信部１２との通信成立に必要な情報を第２プリンタ側通信部２２に設定する（Ｂ２）。デジタルカメラ１０の第２ＤＳＣ側通信部１２とプリンタ２０の第２プリンタ側通信部２２とは、共通の通信設定情報によって通信を成立させる（Ａ４、Ｂ３）。【選択図】  図３
2007189348.tif 000002
【特許請求の範囲】
【請求項１】
指向性を有する第１の通信経路および指向性を有さない第２の通信経路を介して通信端末と通信ホストとが通信を行う通信システムであって、
前記通信ホストは、前記第２の通信経路を介した前記通信端末との通信の成立に必要な通信設定情報を、前記第１の通信経路を介して前記通信端末から受信し、前記第１の通信経路を介して受信した通信設定情報に基づいて前記第２の通信経路を介した前記通信端末との通信に必要な情報を設定し、かつ少なくとも前記第２の通信経路を介し、前記通信端末との間で前記通信設定情報以外の情報を送受信する通信システム。
【請求項２】
前記通信端末は前記第２の通信経路を介した通信を開始する指示が入力されたことに応じ、前記第１の通信経路を介して前記通信設定情報を前記通信ホストに送信する請求項１に記載の通信システム。
【請求項３】
前記通信端末は、前記第２の通信経路を介した通信を開始する指示が入力されるごとに前記通信設定情報の全部または一部を生成して前記通信ホストに送信する請求項２に記載の通信システム。
【請求項４】
前記通信端末は、前記第２の通信経路を介した通信を開始する指示が入力された時点における日付または時間に基づいて前記通信設定情報を生成する請求項３に記載の通信システム。
【請求項５】
前記通信端末は、前記第２の通信経路を介した通信を開始する指示が入力されるごとに生成される乱数に基づいて前記通信設定情報を生成する請求項３に記載の通信システム。
【請求項６】
指向性を有する第１の通信経路および指向性を有さない第２の通信経路を介して通信端末と通信を行う通信ホストであって、
前記第２の通信経路を介した前記通信端末との通信の成立に必要な通信設定情報を、前記第１の通信経路を介して前記通信端末から受信し、前記第１の通信経路を介して受信した通信設定情報に基づいて前記第２の通信経路を介した前記通信端末との通信の成立に必要な情報を設定し、かつ少なくとも前記第２の通信経路を介し、前記通信端末との間で前記通信設定情報以外の情報を送受信する通信ホスト。
【請求項７】
指向性を有する第１の通信経路および指向性を有さない第２の通信経路を介して通信ホストと通信を行う通信端末であって、
前記第２の通信経路を介した前記通信ホストとの通信の成立に必要な通信設定情報を生成し、前記通信設定情報を前記第１の通信経路を介して前記通信ホストに送信し、前記通信設定情報に基づいて前記第２の通信経路を介した前記通信ホストとの通信を成立させ、少なくとも前記第２の通信経路を介し、前記通信ホストとの間で前記通信設定情報以外の情報を送受信する通信端末。
【請求項８】
指向性を有する第１の通信経路および指向性を有さない第２の通信経路を介して通信端末と通信ホストとが通信を行う通信システムで用いられる通信方法であって、
前記通信ホストは、前記第２の通信経路を介した前記通信端末との通信の成立に必要な通信設定情報を、前記第１の通信経路を介して前記通信端末から受信し、前記第１の通信経路を介して受信した通信設定情報に基づいて前記第２の通信経路を介した前記通信端末との通信に必要な情報を設定し、かつ少なくとも前記第２の通信経路を介し、前記通信端末との間で前記通信設定情報以外の情報を送受信する通信方法。
【発明の詳細な説明】
【技術分野】
【０００１】
本発明は、指向性を有する通信経路によって通信設定情報を送受信する通信システムに関する。
【背景技術】
【０００２】
従来、通信システムを構成する端末相互に共通する通信設定情報を双方の端末に登録して通信のセキュリティを確保する技術が存在する。例えば特許文献１によると、指紋センサを用いて指紋データを発生し、この指紋データに基づいて個人識別番号を算出し、この個人識別番号を使用して、無線通信機器同士の間でデータを暗号化して送受信する。
【特許文献１】特開２００１−１８６１２３号公報
【発明の開示】
【発明が解決しようとする課題】
【０００３】
特許文献１の技術では、双方の機器に指紋情報を登録する必要があり煩わしい。また、通信設定情報の登録に関する知識がある程度ないと、どのような通信設定情報を登録すべきか判断がつかず、ユーザにとって手間である。本発明はこのような問題点に鑑みてなされたもので、その目的は、通信機器同士の通信の安全性を簡単かつ迅速に確保するための技術を提供することにある。
【課題を解決するための手段】
【０００４】
上記課題を解決するため、本発明に係る通信システムは、指向性を有する第１の通信経路および指向性を有さない第２の通信経路を介して通信端末と通信ホストとが通信を行う通信システムであって、通信ホストは、第２の通信経路を介した通信端末との通信の成立に必要な通信設定情報を、第１の通信経路を介して通信端末から受信し、第１の通信経路を介して受信した通信設定情報に基づいて第２の通信経路を介した通信端末との通信に必要な情報を設定し、かつ少なくとも第２の通信経路を介し、通信端末との間で通信設定情報以外の情報を送受信する。
【０００５】
この発明によると、通信ホストは、第１の通信経路を介して通信設定情報を受信すると、これを指向性のない第２の通信経路を介した通信の成立に必要な情報に設定する。以後、通信端末と通信ホストとは、共通の通信設定情報によって第２の通信経路を介した通信を成立させ、画像ファイルその他各種のデータ（ただし通信設定情報を除く）の送受信を行う。第１の通信経路では、それが遮られるなどの明白な動作が行われない限り通信設定情報が漏洩する可能性は低い。このため、第２の通信経路を介した通信のセキュリティを簡単に高めることができる。
【０００６】
通信端末は第２の通信経路を介した通信を開始する指示が入力されたことに応じ、第１の通信経路を介して通信設定情報を通信ホストに送信するとよい。
【０００７】
さらに、通信端末は、第２の通信経路を介した通信を開始する指示が入力されるごとに通信設定情報の全部または一部を生成して通信ホストに送信するとよい。
【０００８】
ユーザが第２の通信経路を介した通信を開始したいときに通信設定情報を動的に生成して送れば、ユーザが通信を開始するたびにいちいち自分で通信設定情報を決めてやる必要もない。しかも、通信を開始するたびに通信設定情報が変わるから、第２の通信経路を介した通信の安全性が高まる。
【０００９】
通信端末は、第２の通信経路を介した通信を開始する指示が入力された時点における日付または時間に基づいて通信設定情報を生成してもよい。
【００１０】
あるいは通信端末は、第２の通信経路を介した通信を開始する指示が入力されるごとに生成される乱数に基づいて通信設定情報を生成してもよい。
【００１１】
こうすると、簡単に通信設定情報を動的に生成できる。
【００１２】
また、本発明は、指向性を有する第１の通信経路および指向性を有さない第２の通信経路を介して通信端末と通信を行う通信ホストにおいて、第２の通信経路を介した通信端末との通信の成立に必要な通信設定情報を、第１の通信経路を介して通信端末から受信し、第１の通信経路を介して受信した通信設定情報に基づいて第２の通信経路を介した通信端末との通信の成立に必要な情報を設定し、かつ少なくとも第２の通信経路を介し、通信端末との間で通信設定情報以外の情報を送受信する。
【００１３】
また、本発明は、指向性を有する第１の通信経路および指向性を有さない第２の通信経路を介して通信ホストと通信を行う通信端末において、第２の通信経路を介した通信ホストとの通信の成立に必要な通信設定情報を生成し、通信設定情報を第１の通信経路を介して通信ホストに送信し、通信設定情報に基づいて第２の通信経路を介した通信ホストとの通信を成立させ、少なくとも第２の通信経路を介し、通信ホストとの間で通信設定情報以外の情報を送受信する。
【００１４】
また、本発明に係る通信方法は、指向性を有する第１の通信経路および指向性を有さない第２の通信経路を介して通信端末と通信ホストとが通信を行う通信システムで、通信ホストは、第２の通信経路を介した通信端末との通信の成立に必要な通信設定情報を、第１の通信経路を介して通信端末から受信し、第１の通信経路を介して受信した通信設定情報に基づいて第２の通信経路を介した通信端末との通信に必要な情報を設定し、かつ少なくとも第２の通信経路を介し、通信端末との間で通信設定情報以外の情報を送受信する。
【００１５】
なお、一例として、第１の通信経路は、IrDA(Infrared Data Association)準拠の赤外線通信で構成される。また、一例として、第２の通信経路は、無線ＬＡＮ通信、Bluetooth、ＵＷＢ(Ultra Wide Band)通信またはＬＥＤ可視光通信で構成される。
【発明の効果】
【００１６】
この発明によると、通信ホストは、第１の通信経路を介して通信設定情報を受信すると、これを指向性のない第２の通信経路を介した通信の成立に必要な情報に設定する。以後、通信端末と通信ホストとは、共通の通信設定情報によって第２の通信経路を介した通信を成立させ、画像ファイルその他各種のデータ（ただし通信設定情報を除く）の送受信を行う。第１の通信経路では、それが遮られるなどの明白な動作が行われない限り通信設定情報が漏洩する可能性は低い。このため、双方の通信機器に共通の通信設定情報を登録するといった面倒な操作を必要とせず、第２の通信経路を介した通信のセキュリティを簡単に高めることができる。
【発明を実施するための最良の形態】
【００１７】
以下、添付した図面を参照し本発明の好ましい実施の形態を説明する。
【００１８】
図１は本発明の好ましい実施形態に係る通信システムの概略説明図である。この通信システムは、デジタルカメラ１０とプリンタ２０から構成される。
【００１９】
図２はデジタルカメラ１０とプリンタ２０の要部ブロック構成図である。
【００２０】
デジタルカメラ１０は、情報選択ボタン（上下左右ボタンなど）および情報確定ボタン（ＯＫボタンなど）などの操作ボタンやタッチパネルなど、各種の手動操作入力装置で構成された操作部１４、操作部１４への所定の手動入力操作に基づいて後述する通信設定情報を生成する通信設定情報生成部１３、通信設定情報生成部１３の生成した通信設定情報をプリンタ２０に送信する第１デジタルカメラ側通信部（第１ＤＳＣ側通信部）１１、スマートメディアなどの各種記憶媒体で構成された記憶部１５、被写体像を光電変換することで得た画像データをExif(Exchangeable Image File Format)などの各種画像ファイル規格に従って記憶部１５に記憶する撮像部１６、通信設定情報以外の各種情報、例えば記憶部１５に記憶された画像ファイルやテキストファイルをプリンタ２０に送信する第２デジタルカメラ側通信部（第２ＤＳＣ側通信部）１２を備える。
【００２１】
プリンタ２０は、第１ＤＳＣ側通信部１１から送信された通信設定情報を受信する第１プリンタ側通信部２１、第１プリンタ側通信部２１の受信した通信設定情報に従って第２ＤＳＣ側通信部１２との通信成立に必要な情報を第２プリンタ側通信部２２に設定する通信設定部２３、通信設定部２３の設定に従って第２ＤＳＣ側通信部１２との通信を成立させ、第２ＤＳＣ側通信部１２から送信された通信設定情報以外の各種情報を受信する第２プリンタ側通信部２２、第２プリンタ側通信部２２の受信した各種情報、特に画像ファイルに記録された被写体像をインスタックスデジタルフイルムなどの各種印画媒体に印画するプリント部２４を備える。
【００２２】
本実施形態において、第１ＤＳＣ側通信部１１と第１プリンタ側通信部２１とは、IrDA(Infrared Data Association)準拠の赤外線通信などの指向性通信を行う。また、第２ＤＳＣ側通信部１２と第２プリンタ側通信部２２とは、無線ＬＡＮ通信、Bluetooth、ＵＷＢ(Ultra Wide Band)通信、ＬＥＤ可視光通信などの非指向性通信を行う。
【００２３】
以下、図３のフローチャートに従い、本通信システムの動作の流れを説明する。
【００２４】
デジタルカメラ１０の操作部１４は、記憶部１５に記憶された画像ファイルのうちプリンタ２０でプリントしたい任意の画像ファイルの選択を受け付ける。プリントしたい画像ファイルは、画像を縮小して一覧表示し、その中から選びたい画像にカーソルを移動させて選ばせるとよい。そして、プリントしたい画像ファイルを確定する指示（例えば所定の情報確定ボタンの押下やメニュー画面でのコマンド選択）が操作部１４に入力された場合、通信設定情報生成部１３はプリントしたい画像ファイルをプリンタ２０に送信してプリントする指示（プリント指示）が入力されたものと判断する（Ａ１で“Ｙ”）。
【００２５】
デジタルカメラ１０の通信設定情報生成部１３は、プリント指示が入力されたと判断すると、第２ＤＳＣ側通信部１２と第２プリンタ側通信部２２との通信の成立に必要な通信設定情報を生成する（Ａ２）。これと同時に、通信設定情報生成部１３は、生成された通信設定情報を、第２ＤＳＣ側通信部１２に設定する。
【００２６】
例えば、第２ＤＳＣ側通信部１２と第２プリンタ側通信部２２とがIEEE 802.11シリーズの無線LAN通信を行うのであれば、プリンタ２０がデジタルカメラ１０を一意に識別するためのＥＳＳＩＤ（Extended Service Set Identifier）を生成する。あるいは、第２ＤＳＣ側通信部１２と第２プリンタ側通信部２２とがＷＥＰ（Wired Equivalent Privacy）により送信データを暗号化する場合は、ＷＥＰキーを生成する。
【００２７】
通信設定情報は、プリント指示が入力されたと判断されるごとに動的に生成される。通信設定情報を動的に生成するには、例えばプリント指示が入力される度に擬似乱数発生アルゴリズムを実行して乱数を発生させ、この乱数をＥＳＳＩＤやＷＥＰキーの一部または全部とする。あるいは、プリント指示が入力されたと判断された時点の日付や時刻を図示しないＲＴＣ（Realtime clock）から取得し、その一部または全部をＥＳＳＩＤやＷＥＰキーとする。あるいは、ＲＴＣから取得した日付や時刻を乱数種として乱数を発生させ、この乱数をＥＳＳＩＤやＷＥＰキーの一部または全部とする。
【００２８】
デジタルカメラ１０の第１ＤＳＣ側通信部１１は、生成された通信設定情報を、プリンタ２０に送信する（Ａ３）。
【００２９】
プリンタ２０の第１プリンタ側通信部２１は、第１ＤＳＣ側通信部１１の送信した通信設定情報を受信する（Ａ４）。第１ＤＳＣ側通信部１１と第１プリンタ側通信部２１との通信は、指向性を有するため、両者の通信経路を遮るなど一見して明白な情報盗取動作を行わない限り、通信設定情報の盗取は困難である。このため、通信設定情報の秘匿性は高い。
【００３０】
プリンタ２０の通信設定部２３は、第１プリンタ側通信部２１の受信した通信設定情報に基づき、第２ＤＳＣ側通信部１２との通信成立に必要な情報（ＥＳＳＩＤやＷＥＰキーなど）を第２プリンタ側通信部２２に設定する（Ｂ２）。あわせて、通信設定情報に基づいて、第１ＤＳＣ側通信部１１との今後の通信成立に必要な情報を第１プリンタ側通信部２１に設定してもよい。
【００３１】
デジタルカメラ１０の第２ＤＳＣ側通信部１２とプリンタ２０の第２プリンタ側通信部２２とは、共通の通信設定情報によって通信を成立させる（Ａ４、Ｂ３）。通信を成立させるとは、デジタルカメラ１０の第２ＤＳＣ側通信部１２から送られたＥＳＳＩＤが第２プリンタ側通信部２２に設定されたＥＳＳＩＤと共通する場合に通信を確立させること、あるいは通信データ本体を共通のＷＥＰキーによって暗号化・復号化させることを含む。
【００３２】
通信が成立すると、デジタルカメラ１０の第２ＤＳＣ側通信部１２は、プリント指示のあった画像ファイルをプリンタ２０に送信する（Ａ５）。なお、第２ＤＳＣ側通信部１２と第２プリンタ側通信部２２との通信が成立していなければ、画像ファイルを正常に送受信することはできない。
【００３３】
プリンタ２０の第２プリンタ側通信部２２は、第２ＤＳＣ側通信部１２から送信された画像ファイルを受信する（Ｂ４）。ただし、第１ＤＳＣ側通信部１１から画像ファイルを送信し、これを第１プリンタ側通信部２１で受信してもよい。
【００３４】
プリンタ２０のプリント部２４は、第２プリンタ側通信部２２の受信した画像ファイルから画像データを展開してプリントデータに変換し、インクジェット、熱転写、レーザなどの各種印画方式で画像を印画媒体に記録する（Ｂ５）。
【００３５】
以上説明した通り、本発明のデジタルカメラ１０は、指向性のある第１ＤＳＣ側通信部１１により通信設定情報をプリンタ２０に送る。プリンタ２０の第１プリンタ側通信部２１は、指向性のある第１ＤＳＣ側通信部１１から通信設定情報を受信する。この過程では、通信経路が遮られるなどの明白な動作が行われない限り通信設定情報が漏洩する可能性は低い。
【００３６】
第１プリンタ側通信部２１は、第１ＤＳＣ側通信部１１からの通信設定情報を受信すると、これを指向性のない第２プリンタ側通信部２２の通信に必要な情報として設定する。以後、第２ＤＳＣ側通信部１２と第２プリンタ側通信部２２とは、共通の通信設定情報によって通信を成立させ、画像ファイルその他各種のデータ（ただし通信設定情報を除く）の送受信を行う。すなわち、指向性のある第１ＤＳＣ側通信部１１によって通信設定情報を事前に送ることで、指向性のない第２ＤＳＣ側通信部１２と第２プリンタ側通信部２２との通信セキュリティを簡単に高めることができる。
【００３７】
また、本実施形態のデジタルカメラ１０は、プリント指示の入力に応じて自動的に通信設定情報を生成し、これをプリンタ２０に送信する。このため、従来のように、いちいち操作者が通信の度に通信設定情報を決めてやる必要がなく、迅速かつ安全に通信を確立することができる。
【００３８】
また、通信設定情報は、プリント指示の入力に応じてその都度動的に生成されるから、万が一通信設定情報が漏洩してもその不正利用は困難であり、通信の安全度は高い。
【００３９】
図３の動作Ａ２〜Ａ４を実行する主体はデジタルカメラ１０に限る必要はなく、パソコン、ＰＤＡ、携帯電話などの各種通信端末であってもよい。また、図３の動作Ｂ１〜Ｂ３を実行する主体はプリンタ２０に限る必要はなく、パソコン、サーバ、店頭プリント端末、キオスク端末、画像ストレージ装置などの各種通信ホストであってもよい。
【図面の簡単な説明】
【００４０】
【図１】本発明の好ましい実施形態に係る通信システムの概略構成図
【図２】通信システムの要部ブロック構成図
【図３】通信システムの実行する動作の流れを示すフローチャート
【符号の説明】
【００４１】
１０：カメラ、１１：第１デジタルカメラ側通信部、１２：第２デジタルカメラ側通信部、１３：通信設定情報生成部、２０：プリンタ、２１：第１プリンタ側通信部、２２：第２プリンタ側通信部、２３：通信設定部
【図１】
2007189348.tif 000003
【図２】
2007189348.tif 000004
【図３】
2007189348.tif 000005